(57)【要約】【課題】静電容量方式のタッチセンサを有し、操作ロックを行う機能を有する表示装置において、新たなハードウェアキーを追加することなく、上記操作ロックをアンロックさせる制御を、表示装置の設置者ではない一般ユーザには分からない操作方法で実行させる。【解決手段】表示装置１は、画像を表示する表示部１３と、ユーザによる表示部１３の表示領域上でのタッチ操作を検出する静電容量方式のタッチセンサ１２と、ユーザによる押下操作を受け付けるハードウェアキー１８と、上記押下操作及び上記表示領域上でのタッチ操作のうち、一部又は全てをロック／アンロックする制御を行う制御部１０と、表示部１３の周囲に設けられたベゼル部と、を備える。制御部１０は、上記ロックがなされた状態で、タッチセンサ１２が上記ベゼル部上の点から始まる所定のタッチ操作を受け付けた場合、上記アンロックを実行する。【選択図】図１
2015114801.tif 000002
【特許請求の範囲】
【請求項１】
画像を表示する表示部と、ユーザによる該表示部の表示領域上でのタッチ操作を検出する静電容量方式のタッチセンサと、ユーザによる押下操作を受け付けるハードウェアキーと、該押下操作及び前記表示領域上でのタッチ操作のうち、一部又は全てをロック／アンロックする制御を行う制御部と、前記表示部の周囲に設けられたベゼル部と、を備えた表示装置であって、
前記制御部は、前記ロックがなされた状態で、前記タッチセンサが前記ベゼル部上の点から始まる所定のタッチ操作を受け付けた場合、前記アンロックを実行することを特徴とする表示装置。
【請求項２】
前記所定のタッチ操作は、前記点をタッチし、タッチした位置から前記ベゼル部の長手方向に弾くフリック操作であることを特徴とする請求項１に記載の表示装置。
【請求項３】
前記所定のタッチ操作は、前記点をタッチし、タッチした位置から前記ベゼル部の長手方向にスライドするスライド操作であることを特徴とする請求項１に記載の表示装置。
【請求項４】
前記点は、前記ベゼル部のうちの予め定められた特定の辺上の点であることを特徴とする請求項２又は３に記載の表示装置。
【請求項５】
前記所定のタッチ操作は、前記ベゼル部のうちの予め定められた特定の辺上の点をタッチし、タッチした位置から前記ベゼル部の長手方向に、所定長以上、又は所定長以上で該所定長より長い他の所定長以下の長さだけ、スライドするスライド操作であることを特徴とする請求項１に記載の表示装置。
【請求項６】
前記所定のタッチ操作は、前記ベゼル部のうち予め定められた特定の辺上の点をタッチし、タッチした位置から前記ベゼル部の長手方向に弾くフリック操作、又はタッチした位置から前記ベゼル部の長手方向にスライドするスライド操作を、２以上の所定回数行う操作であることを特徴とする請求項１に記載の表示装置。
【請求項７】
前記所定のタッチ操作は、前記ベゼル部のうち予め定められた特定の辺上の点をタッチし、タッチした位置から前記ベゼル部の長手方向に弾くフリック操作、又はタッチした位置から前記ベゼル部の長手方向にスライドするスライド操作を、前記特定の辺を少なくとも１回異ならせて２以上の所定回数行う操作であることを特徴とする請求項１に記載の表示装置。
【請求項８】
前記フリック操作又は前記スライド操作を受け付けた回数を所定時間以内の点滅回数で表現する発光ダイオードを、前記ベゼル部に備えたことを特徴とする請求項６又は７に記載の表示装置。
【請求項９】
前記ベゼル部における少なくとも前記表示部に隣接する部分は、前記表示部の表面と同じ高さの表面を有することを特徴とする請求項１〜８のいずれか１項に記載の表示装置。
【請求項１０】
画像を表示する表示部と、ユーザによる該表示部の表示領域上でのタッチ操作を検出する静電容量方式のタッチセンサと、ユーザによる押下操作を受け付けるハードウェアキーと、該押下操作及び前記表示領域上でのタッチ操作のうち、一部又は全てをロック／アンロックする制御を行う制御部と、前記表示部の周囲に設けられたベゼル部と、を備えた表示装置におけるアンロック方法であって、
前記ロックがなされた状態で、前記タッチセンサが前記ベゼル部上の点から始まる所定のタッチ操作を受け付けた場合、前記制御部が前記アンロックを実行することを特徴とするアンロック方法。
【発明の詳細な説明】
【技術分野】
【０００１】
本発明は、表示装置及びアンロック方法に関し、より詳細には、表示部に表示領域へのタッチ操作を検出するタッチセンサを有すると共に、操作ロック機能を有する表示装置、及びその表示装置におけるアンロック方法に関する。
【背景技術】
【０００２】
従来から、表示部にタッチセンサが搭載されている表示装置が流通している。特許文献１，２には、静電容量方式のタッチパネルにおいて操作領域外（ベゼル部に相当）からの入力信号を検出すると、その検出された入力信号を無効にする技術が開示されている。また、特許文献３には、静電容量方式のタッチパネルにおいて操作領域外（ベゼル部に相当）からの入力信号を検出した場合に、タッチパネルにおける静電容量値のキャリブレーションを行う技術が開示されている。
【０００３】
上述のようなタッチセンサを備えた表示装置は、デジタルサイネージや案内装置などとして利用されることがある。例えば、博物館や美術館などでは、来館者に対して展示物の説明を行うためにこのような表示装置が設置されており、来館者がタッチ操作により好みの情報を入手できるようにした表示装置も設置されていることがある。また、販売店等でも、商品の特徴を紹介する説明資料として、このような表示装置が設置されている。
【０００４】
また、表示装置は、ＯＳＤ（On Screen Display）画像として表示させた操作メニューにより、その表示装置の各種設定を変更できるようになっているものが多い。この設定としては、例えば入力切替、音量調節、クロック、垂直・水平方向の表示位置の変更、画質調整などが挙げられる。
【先行技術文献】
【特許文献】
【０００５】
【特許文献１】特開２０１３−３８４１号公報
【特許文献２】特開２０１３−８８９２９号公報
【特許文献３】特開２０１２−２４２８６０号公報
【発明の概要】
【発明が解決しようとする課題】
【０００６】
しかしながら、上述のような表示装置では、その設置者（管理者や所有者）とは異なる一般ユーザが、その操作方法を十分に理解することなくタッチ操作したり、無暗にその表示装置に備えられたスイッチ等のハードウェアキーを操作したりすることがある。その際、一般ユーザが誤って操作することで不具合が発生することがある。
【０００７】
例えば、上記操作メニューが表示されていない状態では、その操作メニューを表示させるように一般ユーザが誤って操作してしまうことで、タッチ操作による入力がその操作メニューの表示領域（ＯＳＤ表示領域）で有効になる。これにより、少なくともそのＯＳＤ表示領域では、例えばＰＣ（Personal Computer）等の外部のソース機器に対してタッチ操作がなされたことを示す情報が伝送されず、コンテンツに対する操作が効かなくなることもある。
【０００８】
上記操作メニューが表示された状態では、表示装置の入力切替、音量調節、クロック、垂直・水平方向の表示位置の変更、画質調整などを一般ユーザが操作してしまうと、表示装置の設置者が所望する画像を表示できなくなる。例えば、入力切替操作を誤って行うことで表示させるべき映像が途切れてしまうことや、専用のタッチペンのみを検出するモードに切り替えるように誤って操作してしまうことでタッチ操作が効かなくなることや、スピーカの音量を調節するように誤って操作してしまうことで消音される若しくは想定外の大きな音になってしまうこともある。
【０００９】
従って、上述のような表示装置をデジタルサイネージや案内装置などとして利用する場合におけるこのような不具合を回避するために、表示装置には、その各種設定を変更する操作や設定変更のための上記操作メニューを表示させる操作（例えば上記ハードウェアキーの操作）をロックするロック機能が必要である。
【００１０】
また、上述のような表示装置に、操作メニューへのタッチ操作に限らず、他のタッチ操作や全てのタッチ操作をロックするロック機能をもたせる場合もある。例えば、全てのタッチ操作をロックすることで、その表示装置で所定の映像を繰り返し表示し続けることができる。
【００１１】
そして、このようなロック機能をもつ表示装置では、そのロックを解除するアンロック機能も併せてもたせる必要がある。特に、このようなアンロックは、一般ユーザに分からない操作方法で実行できるようにしておく必要があり、その操作のために新たなハードウェアキーを追加することは好ましくない。
【００１２】
新たなハードウェアキーを追加しないのであれば、音声認識による操作や、操作メニューからロックを解除する操作を採用することが考えられる。しかしながら、音声認識による操作の場合、博物館や美術館などでは雑音が多いため誤動作が多く、操作メニューからの操作の場合、一般ユーザによってアンロックされてしまう可能性がある。
【００１３】
なお、特許文献１〜３に記載の技術はいずれも、もしタッチパネルの操作領域（つまり表示領域）外からの検出結果が存在したとしても、その検出結果をノイズとして取り扱っている。
【００１４】
本発明は、上述のような実状に鑑みてなされたものであり、その目的は、静電容量方式のタッチセンサを有し、操作ロックを行う機能を有する表示装置において、新たなハードウェアキーを追加することなく、上記操作ロックをアンロックさせる制御を、表示装置の設置者ではない一般ユーザには分からない操作方法で実行させることにある。
【課題を解決するための手段】
【００１５】
上記の課題を解決するために、本発明の第１の技術手段は、画像を表示する表示部と、ユーザによる該表示部の表示領域上でのタッチ操作を検出する静電容量方式のタッチセンサと、ユーザによる押下操作を受け付けるハードウェアキーと、該押下操作及び前記表示領域上でのタッチ操作のうち、一部又は全てをロック／アンロックする制御を行う制御部と、前記表示部の周囲に設けられたベゼル部と、を備えた表示装置であって、前記制御部は、前記ロックがなされた状態で、前記タッチセンサが前記ベゼル部上の点から始まる所定のタッチ操作を受け付けた場合、前記アンロックを実行することを特徴としたものである。
【００１６】
本発明の第２の技術手段は、第１の技術手段において、前記所定のタッチ操作は、前記点をタッチし、タッチした位置から前記ベゼル部の長手方向に弾くフリック操作であることを特徴としたものである。
【００１７】
本発明の第３の技術手段は、第１の技術手段において、前記所定のタッチ操作は、前記点をタッチし、タッチした位置から前記ベゼル部の長手方向にスライドするスライド操作であることを特徴としたものである。
【００１８】
本発明の第４の技術手段は、第２又は第３の技術手段において、前記点は、前記ベゼル部のうちの予め定められた特定の辺上の点であることを特徴としたものである。
【００１９】
本発明の第５の技術手段は、第１の技術手段において、前記所定のタッチ操作は、前記ベゼル部のうちの予め定められた特定の辺上の点をタッチし、タッチした位置から前記ベゼル部の長手方向に、所定長以上、又は所定長以上で該所定長より長い他の所定長以下の長さだけ、スライドするスライド操作であることを特徴としたものである。
【００２０】
本発明の第６の技術手段は、第１の技術手段において、前記所定のタッチ操作は、前記ベゼル部のうち予め定められた特定の辺上の点をタッチし、タッチした位置から前記ベゼル部の長手方向に弾くフリック操作、又はタッチした位置から前記ベゼル部の長手方向にスライドするスライド操作を、２以上の所定回数行う操作であることを特徴としたものである。
【００２１】
本発明の第７の技術手段は、第１の技術手段において、前記所定のタッチ操作は、前記ベゼル部のうち予め定められた特定の辺上の点をタッチし、タッチした位置から前記ベゼル部の長手方向に弾くフリック操作、又はタッチした位置から前記ベゼル部の長手方向にスライドするスライド操作を、前記特定の辺を少なくとも１回異ならせて２以上の所定回数行う操作であることを特徴としたものである。
【００２２】
本発明の第８の技術手段は、第６又は第７の技術手段において、前記フリック操作又は前記スライド操作を受け付けた回数を所定時間以内の点滅回数で表現する発光ダイオードを、前記ベゼル部に備えたことを特徴としたものである。
【００２３】
本発明の第９の技術手段は、第１〜第８のいずれか１の技術手段において、前記ベゼル部における少なくとも前記表示部に隣接する部分は、前記表示部の表面と同じ高さの表面を有することを特徴としたものである。
【００２４】
本発明の第１０の技術手段は、画像を表示する表示部と、ユーザによる該表示部の表示領域上でのタッチ操作を検出する静電容量方式のタッチセンサと、ユーザによる押下操作を受け付けるハードウェアキーと、該押下操作及び前記表示領域上でのタッチ操作のうち、一部又は全てをロック／アンロックする制御を行う制御部と、前記表示部の周囲に設けられたベゼル部と、を備えた表示装置におけるアンロック方法であって、前記ロックがなされた状態で、前記タッチセンサが前記ベゼル部上の点から始まる所定のタッチ操作を受け付けた場合、前記制御部が前記アンロックを実行することを特徴としたものである。
【発明の効果】
【００２５】
本発明によれば、静電容量方式のタッチセンサを有し、操作ロックを行う機能を有する表示装置において、表示部の周囲に設けられたベゼル部へのタッチ操作をタッチセンサで検出し、その検出結果を（隠しコマンドとして）利用しているため、新たなハードウェアキーを追加することなく、上記操作ロックをアンロックさせる制御を、表示装置の設置者ではない一般ユーザには分からない操作方法で実行させることができる。
【図面の簡単な説明】
【００２６】
【図１】本発明の第１の実施形態に係る表示装置の一構成例を示す機能ブロック図である。
【図２】図１の表示装置におけるベゼル部近辺の一構成例を示す概略断面図である。
【図３】図１の表示装置における操作メニューの表示例を示す概略図である。
【図４】図１の表示装置におけるアンロック方法の一例を説明するための概略図である。
【図５Ａ】図１の表示装置におけるアンロック方法の他の例を説明するための概略図で、そのアンロック方法の第１の手順を説明するための概略図である。
【図５Ｂ】図５Ａの第１の手順に続く第２の手順を説明するための模式図である。
【図５Ｃ】図５Ｂの第２の手順に続く第３の手順を説明するための模式図である。
【図６Ａ】図１の表示装置におけるアンロック方法の他の例を説明するための概略図で、そのアンロック方法の第１の手順を説明するための概略図である。
【図６Ｂ】図６Ａの第１の手順に続く第２の手順を説明するための模式図である。
【図６Ｃ】図６Ｂの第２の手順に続く第３の手順を説明するための模式図である。
【図７】本発明の第８の実施形態に係る表示装置の回路構成例を示す図である。
【発明を実施するための形態】
【００２７】
本発明に係る表示装置は、表示部、タッチセンサ、ハードウェアキー、及び制御部を備える。本発明に係る表示装置としては、それに接続された外部のソース機器から有線又は無線で出力された画像を表示できるモニタ機能を有するモニタ装置が挙げられる。上記ソース機器としては、例えば設置型のＰＣやモバイルＰＣやタブレット型の端末装置（以下、タブレット端末）等の情報処理装置、携帯電話機（スマートフォンと呼ばれるものも含む）、レコーダ機器等のコンテンツ録画再生装置、ＢＤ（Blu-ray Disc；登録商標）プレーヤ等のコンテンツ再生装置などが挙げられる。
【００２８】
以下、本発明の様々な実施形態について、表示装置としてモニタ装置を例に挙げて説明するが、本発明に係る表示装置はこれに限ったものではない。より具体的には、本発明に係る表示装置は、それ自体にコンテンツを再生するコンテンツ再生機能をもたせ、設置型ＰＣやモバイルＰＣやタブレット端末等の情報処理装置、携帯電話機（スマートフォンと呼ばれるものも含む）、テレビ装置などとして構成することもできる。本発明に係る表示装置は、このようなコンテンツ再生機能を有する場合、外部のソース機器に接続するための構成を具備しないようにしてもよい。
【００２９】
（第１の実施形態）
図１は、本発明の第１の実施形態に係る表示装置の一構成例を示すブロック図である。
図１で例示するように、本実施形態に係る表示装置１は、その全体を制御する制御部１０と、タッチセンサ１２と、画像を表示する表示部１３と、ハードウェアキー１８と、を備えている。また、図１で例示する表示装置１は、外部のソース機器と通信するための通信部１１を備えている。
【００３０】
表示部１３は、画像を表示する表示パネルを有する。表示パネルとしては、液晶ディスプレイや有機エレクトロルミネッセンスディスプレイ等、様々な表示方式のパネルが挙げられる。
【００３１】
通信部１１は、外部のソース機器と有線又は無線で通信するための通信インターフェイスである。この通信インターフェイスも、通信規格に応じた様々なものを適用することができる。例えば、画像を伝送するためのケーブルとしては、ＤＰ（DisplayPort；登録商標）ケーブル、High-Definition Multimedia Interface（ＨＤＭＩ；登録商標、以下同様）ケーブル、Mobile High-definition Link（ＭＨＬ；登録商標、以下同様）規格のケーブルなど、様々なケーブルが適用できる。また、タッチ操作などのユーザ操作の情報をソース機器側に送信するためのケーブルとしては、Universal Serial Bus（ＵＳＢ；登録商標、以下同様）ケーブルなどの様々なケーブルが適用できる。また、無線で接続する場合には、例えば、Ｍｉｒａｃａｓｔ対応のＨＤＭＩアダプタ、ＷｉＦｉ（登録商標）規格の無線機器などを、表示装置１やソース機器に搭載しておけばよい。
【００３２】
タッチセンサ１２は、ユーザによる表示部１３の表示領域（全表示領域）上でのタッチ操作を検出する静電容量方式のセンサである。タッチセンサ１２は、タッチ操作を検出するとタッチ操作がなされた位置を特定する情報（入力座標情報）を制御部１０に渡すか、若しくは制御部１０がポーリング処理等によりタッチセンサ１２に対するタッチ操作の入力を監視する。タッチセンサ１２と、制御部１０におけるそのタッチセンサ１２を制御する部位とで、ユーザによるタッチ操作を受け付けるタッチ操作部を構成する。制御部１０は、タッチ操作部によるタッチ操作入力の検出に応答して、検出された入力座標情報を取得し、その入力座標が表示部１３の表示画面のどの位置であるかを判定し、その判定結果に基づいて表示部１３の表示画面に表示に応じた処理等を行う。
【００３３】
また、上記した静電容量方式は、指先と導電膜の間での静電容量の変化を捉えて位置を検出する方式であり、マルチタッチに対応させるために投射型の静電容量方式を採用することが好ましいが、表面型の静電容量方式を採用することもできる。静電容量方式のタッチセンサ１２は、表示部（表示パネル）１３の表面に重ねるようにパネルとして設けられており、タッチパネルとも言える。
【００３４】
ハードウェアキー１８は、ユーザによる押下操作を受け付けるキー（操作ボタン）である。ハードウェアキー１８としては、例えば電源キーや音量調整キーなどが挙げられる。ハードウェアキー１８は、押下操作がなされたことを検出すると、その検出情報を制御部１０に渡し、その押下操作に応じた処理を制御部１０が実行する。
【００３５】
例えば電源キーを所定時間（ｔ秒とする）以上押下されることで電源のＯＮ又はＯＦＦを実行し、ｔ秒未満の押下により操作メニューを示すＯＳＤ画像を読み出して表示部１３に重畳して表示させてもよい。このＯＳＤ画像を表示した状態で、タッチセンサ１２から表示装置１についての各種設定を受け付けるようにすればよい。但し、操作メニューへのタッチ操作をロックの対象にする場合には、アンロックされた状態でのみこの受け付けが可能となる。
【００３６】
制御部１０は、ハードウェアキー１８からの上記押下操作及び上記表示領域上でのタッチ操作のうち、一部又は全てをロック／アンロック（ロック解除）する制御を行う。後述するが、本発明は、このアンロックの制御に主たる特徴を有する。
【００３７】
上記一部をロックする制御は、上記押下操作の一部又は全部だけをロックする制御であっても、上記タッチ操作のうち一部又は全部だけをロックする制御であってもよい。例えば、ハードウェアキー１８から電源を切るような押下操作をロックするだけでもよいし、表示領域（つまり表示画面）へのタッチ操作全てをロックするだけでもよい。
【００３８】
ハードウェアキー１８からの上記押下操作の一部をロックするような制御は、ハードウェアキー１８が複数のキー（例えば電源キーと音量調整キー）を有する場合にそのうちの予め定められたキーのみをロックする制御であっても、１つのキーのみ有する場合でも複数用意した操作方法（例えば上記ｔ秒を閾値として区別した押下時間の違い）のうちの予め定められた操作方法のみをロックする制御であってもよい。
【００３９】
いずれの場合でも、ロック対象となった押下操作をハードウェアキー１８で検出した場合に、制御部１０がその検出結果を無視すればよい。なお、押下操作をロックする対象のキー（その検出回路を含む）への通電を遮断するなどによって、そのキーを機能させないようにすることもできる。
【００４０】
表示領域上でのタッチ操作の全てをロックするような制御としては、制御部１０が、タッチセンサ１２自体を機能させたままタッチ操作による入力（タッチ検出）があった場合にその検出結果を無視するようにすればよい。なお、通電を遮断するなどしてタッチセンサ１２自体を機能させないことでも全てのロックは可能であるが、そのような制御を採用する場合にも、後述する本発明のアンロック制御を実行可能にしておく必要があるため、表示領域の最端部分に対応するセンサだけは機能させておく必要がある。
【００４１】
表示領域上でのタッチ操作の一部をロックする制御を行う場合について説明する。上記一部とは、例えばＯＳＤ画像による操作メニューを操作するタッチ操作など、表示領域上の特定領域へのタッチ操作を指す。この特定領域は、ロックする範囲（領域）として予め決めておけばよい。特定領域へのタッチ操作をロックするような制御としては、制御部１０が、タッチセンサ１２自体を機能させたまま、タッチ操作による入力（タッチ検出）があった場合に、上記特定領域内のタッチ検出であるか否かを判定し、上記特定領域内の検出結果を無視するようにすればよい。若しくは、制御部１０が、タッチセンサ１２における上記特定領域に該当するセンサ群自体を、通電遮断などにより機能させないようにしてもよい。
【００４２】
制御部１０は、ハードウェアキー１８の制御やロック／アンロックの制御のほか、表示部１３における表示や通信部１１における通信の制御も行う。制御部１０は、プログラム保存領域に格納されたプログラムを動作させ、各種制御を行う。例えば制御部１０は、ＣＰＵ（Central Processing Unit）又はＭＰＵ（Micro Processing Unit）、作業領域としてのＲＡＭ（Random Access Memory）、及び記憶装置などの制御デバイスで構成され、その一部又は全部を集積回路／ＩＣチップセットとして搭載することもできる。
【００４３】
この記憶装置には、制御プログラム（本発明に係るアンロック制御を実行するプログラムを含む）をはじめ、ＯＳＤ画像として表示させるためのＵＩ（User Interface）画像、各種設定内容などが記憶される。この記憶装置としては、フラッシュＲＯＭ（Read Only Memory）、ＥＥＰＲＯＭ（Electrically Erasable and Programmable  ＲＯＭ）等が挙げられる。表示装置１の種類によってはこの記憶装置としてＨＤＤ（Hard Disk Drive）を採用することもできる。
【００４４】
なお、表示装置１には、タッチ操作部やハードウェアキー１８の他に、マウス等のポインティングデバイス、ジョイスティック、タッチパッド、トラックボールなどのいずれか１又は複数を用いて操作を受け付ける操作部を設けておいてもよい。この操作部の一部又は全てによる操作も、上記ロック／アンロックの対象に含めるようにしてもよい。
【００４５】
そして、図１では図示しないが、表示装置１には、表示部１３の周囲にベゼル部が設けられている。このベゼル部は、基本的に表示部１３を表示装置１のキャビネットに配設するための枠（外縁）であると言える。このベゼル部について、図２を参照しながら説明する。図２は、図１の表示装置におけるベゼル部近辺の一構成例を示す概略断面図である。
【００４６】
図２で例示する表示装置１は、液晶ユニット１３ａと、その表示面側に設けられたガラス等でなる前面化粧パネル１４ａと、前面化粧パネル１４ａの液晶ユニット１３ａ側に貼り付けられたタッチパネルユニット１２ａと、液晶ユニット１３ａを前面化粧パネル１４ａとで覆うための背面キャビネット１６ａと、表示装置１の側面を覆うための側面キャビネット１６ｂと、を備えている。図示しないが、背面キャビネット１６ａ又は側面キャビネット１６ｂには、操作者が押下可能な状態で図１のハードウェアキー１８が設けられている。
【００４７】
液晶ユニット１３ａは、液晶パネル１３ｂと、その背面側に設けられた光学シート１３ｃと、光学シート１３ｃの背面側に設けられた導光板１３ｄと、導光板１３ｄの背面側に設けられた反射シート１３ｅと、ＬＥＤ（Light Emitting Diode）基板１３ｆと、を有している。ＬＥＤ基板１３ｆは、導光板１３ｄの側面から光を照射するためのＬＥＤを有し、このＬＥＤから照射された光は導光板１３ｄを介して液晶パネル１３ｂの背面から照射される。
【００４８】
また、表示装置１は、背面シャーシ１５ａと、パネル固定部材１５ｂと、ＬＥＤ基板固定部材１５ｃと、スペーサ１５ｄと、スペーサ１５ｅと、を備えている。背面シャーシ１５ａは、液晶ユニット１３ａを固定するためのシャーシであり、反射シート１３ｅの背面側に沿って設けられ、ＬＥＤ基板１３ｆの背面側に沿うように折れ曲がり、さらにタッチパネルユニット１２ａに沿って外側に折れ曲がった形状を有している。
【００４９】
背面シャーシ１５ａの端部は、スペーサ１５ｅを挟んでタッチパネルユニット１２ａに押し付けられている。また、側面キャビネット１６ｂは、背面キャビネット１６ａの端部に固定されると共に、前面化粧パネル１４ａの端部に固定されている。このような機構と、背面キャビネット１６ａと背面シャーシ１５ａとを固定する図示しない機構とにより、表示装置１の内部で背面シャーシ１５ａが固定されている。また、背面シャーシ１５ａと背面キャビネット１６ａとの間には、制御部１０等を搭載するための図示しない基板などが設けられている。
【００５０】
パネル固定部材１５ｂは、Ｌ字状の部材であり、背面シャーシ１５ａにおけるＬＥＤ基板１３ｆの背面側の部分に取り付けられると共に、その部分から折れ曲がった部分により、スペーサ１５ｄを挟んで液晶パネル１３ｂの前面側の端部に押し付けられている。このように背面シャーシ１５ａ及びパネル固定部材１５ｂにより、液晶ユニット１３ａはスペーサ１５ｄを介して挟持されている。
【００５１】
また、ＬＥＤ基板固定部材１５ｃは、階段状の形状を有し、導光板１３ｄの表示面側の端部を押さえると共に、ＬＥＤ基板１３ｆの側面を押さえ、その反対側でパネル固定部材１５ｂに固定されるように構成されている。このようにして、ＬＥＤ基板１３ｆは、ＬＥＤ基板固定部材１５ｃを介して、パネル固定部材１５ｂ及び背面シャーシ１５ａにより挟持されている。
【００５２】
前面化粧パネル１４ａは、液晶ユニット１３ａの表示領域に対応する表示領域部分１４ｄが透明になり、表示領域部分１４ｄを通して液晶ユニット１３ａの液晶パネル１３ｂで表示させた画像がユーザに視認できるように構成されている。また、前面化粧パネル１４ａは、表示領域部分１４ｄの周囲に対応するベゼル領域部分１４ｂが黒色等で着色されており、喩え液晶パネル１３ｂにおいて表示領域の外側まで画像を表示させていた場合でもユーザが視認できないように構成されている。
【００５３】
また、タッチパネルユニット１２ａにおけるタッチパネル１２ｄ（図１のタッチセンサ１２に相当）は、液晶ユニット１３ａの表示を閲覧するための表示領域部分１４ｄと同じ範囲で構成されており、その周囲にはタッチパネル１２ｄの外枠部分１２ｂが設けられている。
【００５４】
そして、表示部１３の周囲に設けられたベゼル部１７は、外枠部分１２ｂの領域を指す。また、上述のように表示部１３は、前面化粧パネル１４ａの表示領域部分１４ｄに対応する液晶ユニット１３ａの表示領域を指すことになる。
【００５５】
ここで、図２で例示したように、表示部１３の表面とベゼル部１７とが段差無くフラットであることが好ましい。本発明に係る表示装置１では、その主たる特徴として後述するように、ベゼル部１７上でのタッチ操作をタッチセンサ１２で検知する必要があり、フラットである方が表示画面に別途部材を被せてベゼル部を形成する場合に比べて、ベゼル部１７上でのタッチ（ベゼルタッチ）の位置からセンサへの距離が近く、センサの感度が良好であるためである。
【００５６】
また、金属は静電容量として検知されるため、表示部１３の表面だけでなくベゼル部１７でも金属を使用しないようにする。ベゼル部１７は、例えばガラスや絶縁性樹脂を使用して形成しておけばよい。図２の例では、表示させた画像に対するタッチ操作を受け付ける操作領域（つまり表示領域）以外の領域であるベゼル部１７を、前面化粧パネル１４ａにおいてベゼル領域部分１４ｂだけ黒色シートを挟むか黒塗りするなどして着色して形成している。
【００５７】
また、図２では、一般的にフルフラットと呼ばれるように、ベゼル部の全てで表示画面とフラットとなった例を挙げているが、これに限らず、ベゼル部においてタッチ操作を受け付ける範囲の幅だけフラットであればよい。つまり、ベゼル部１７における少なくとも表示部１３に隣接する部分は、表示部１３の表面と同じ高さの表面を有することが好ましい。但し、タッチセンサ１２の検出感度によっては、ベゼル部は表示部１３の表示領域の表面（図２の例では表示領域部分１４ｄ）に対して若干の高さをもたせてもよく、その場合、ベゼル部として、表示領域の表面と水平な面（表示領域の表面の周囲に位置する面）に有色の絶縁性樹脂を被せるなどの構造を採用すればよい。
【００５８】
また、図２では、液晶パネル１３ｂを有する例を挙げて説明したが、他の表示方式でも同様の考え方でベゼル部が定義できる。また、液晶パネル１３ｂを採用する場合にも、表示装置１の断面形状は、図２で例示する構成に限ったものではなく、表示部１３とベゼル部１７とが区別可能であり、タッチセンサ１２が表示部１３の表示領域に対するタッチ操作を検出するために同じ範囲で設けられていればよい。
【００５９】
次に、本発明の主たる特徴について説明する。本発明の主たる特徴として、制御部１０は、上記ロックがなされた状態で、タッチセンサ１２がベゼル部１７上の点から始まる所定のタッチ操作を受け付けた場合、上記アンロックを実行する。
【００６０】
ベゼル部１７上の点から始まる上記所定のタッチ操作を受け付けたか否かの判定は、制御部１０側で行うか、若しくはタッチセンサ１２自身で行うようにタッチセンサ１２を構成しておけばよい。
【００６１】
まず、タッチセンサ１２では、表示部１３の表示領域上の各座標においてセンサをマトリクス状に配置し、各座標で静電容量を検出するように構成しておく。本発明では、上記表示領域外であるベゼル部１７上の点がタッチされたことを検出する必要があるが、そのために、静電容量方式の性質を利用し、従来ノイズとして取り扱われていた検出結果を用いる。
【００６２】
ベゼル部１７上の点であること（以下、条件Ｉとする）の判定は、例えば、表示部１３表示領域の端部（ベゼル部１７との境界に一番近い検出座標）がタッチされたときに検出される静電容量の変化量と、ベゼル部１７上でタッチ操作がなされたときに上記一番近い検出座標やそれ付近の検出座標で検出される静電容量の変化量との違いにより、判定することができる。
【００６３】
前者の静電容量の変化量の方が後者の静電容量の変化量より大きいため、表示領域上のタッチを検出するための閾値（閾値Ｔｈとする）より小さなある閾値（閾値Ｔｈ１とする）を設けておき、検出レベルが閾値Ｔｈ以上であった場合に表示部１３の表示領域上でタッチがなされたと判定し、検出レベルが閾値Ｔｈより小さく閾値Ｔｈ１以上であった場合にベゼル部１７上でタッチがなされたと判定すればよい。なお、閾値Ｔｈ１より小さい検出結果は、表示部１３でもベゼル部１７上でもタッチされていない場合に発生したノイズとして取り扱う。閾値はベゼル部１７の材質や高さなどによって異なるが、例えばＴｈ＝１０×Ｔｈ１などとして定めておけばよい。
【００６４】
このような検出レベルの判定に加えて、或いは検出レベルの判定の代わりに、マトリクス状に配置したタッチセンサ１２の各座標からの出力信号が示す波形の違いによっても、ベゼル部１７上の点がタッチされたのか、或いは表示部１３の表示領域の端部（ベゼル部１７との境界に一番近い検出座標）がタッチされたのかを判別することができる。
【００６５】
例えば、表示部１３の表示領域の非端部において、横方向に配置したセンサからの出力信号及び縦方向に配置したセンサからの出力信号は共に、実際にユーザがタッチした位置の座標において０となり、その前側の座標（又は後側の座標）で大きな山を形成し、その後側の座標（又は前側の座標）でマイナス側に大きな山を形成する、といったタッチセンサ１２を用いる。
【００６６】
このようなタッチセンサ１２においては、表示部１３の表示領域の端部（ベゼル部１７との境界に一番近い検出座標）でタッチされた場合でも、タッチした位置の座標を挟んで出力信号がプラスとマイナスとなるような波形（波形ａとする）となる。なお、このような波形となる理由は、タッチセンサ１２で上記一番近い検出座標でのタッチ操作を検出可能とするために、上記一番近い検出座標に続くベゼル部１７の範囲内の僅かな行（横長のベゼル部の場合）又は列（縦長のベゼル部の場合）の座標にもセンサを配置しているためである。
【００６７】
一方で、ベゼル部１７上でタッチされた場合、上記一番近い検出座標付近からの出力信号は、ベゼル部１７の長手方向に沿った座標軸においては上記一番近い検出座標を挟んで出力信号がプラスとマイナスになるような波形ａと同様の波形を示すものの、ベゼル部１７の短手方向（ベゼル部１７の幅方向）に沿った座標軸においては上記一番近い検出座標でプラスかマイナスかのいずれかとなるような波形（波形ａの半周期より短い波形）を示す。よって、このような波形の違いによっても、ベゼル部１７上の点がタッチされたのか、或いは表示部１３の表示領域の端部がタッチされたのかを判別することができる。
【００６８】
上記所定のタッチ操作であること（以下、条件ＩＩとする）の判定は、上記所定のタッチ操作をどのように定義しておくかにより決まる。
【００６９】
本実施形態では、上記所定のタッチ操作は、ベゼル部１７上の点をタッチし、タッチした位置からベゼル部１７の長手方向（ベゼル部１７の幅方向に略垂直な方向）に弾くフリック操作であると定義する。また、この例に限らず、タッチはユーザの指又はタッチペンで行えばよい。なお、タッチセンサ１２の検出方式は静電容量方式であるため、このタッチペンは電磁誘導方式などのように電力を必要とするものではなく、単にペン先に例えば導電性のシリコンゴムなどを用いたものであればよい。
【００７０】
次に、アンロック方法について、図３及び図４を参照しながら実際の使用場面を例に挙げて説明する。図３は、図１の表示装置における操作メニューの表示例を示す概略図で、図４は、図１の表示装置におけるアンロック方法の一例を説明するための概略図である。
【００７１】
図３で例示するように、表示装置１の表示部１３には、操作メニュー３０をＯＳＤ画像として表示することが可能となっている。また、表示装置１には、その側面にハードウェアキー１８の一例としての電源キー１８が押下可能に設けられている。
【００７２】
操作メニュー３０には、「設定」ボタン、「入力切替」ボタン、「音量」ボタン、「ローテート」ボタン、「指」ボタン、「ペン」ボタン、及び「指・ペン」ボタンがアイコンで表示されている。これらのボタンはいずれも、少なくともアンロック状態では、操作者により押下可能な状態でＯＳＤ画像として表示されている。
【００７３】
「設定」ボタンは、表示装置１の表示部１３における画質、明るさ等の各種表示設定を行うためのボタンである。「入力切替」ボタンは、表示部１３に表示させる画像のソースを切り替えるボタンである。「音量」ボタンは、音量を調節するボタンである。「ローテート」ボタンは、表示部１３に表示させる画像を１８０°回転させるボタンである。「指」ボタンは、タッチセンサ１２でのタッチを指でのみ受け付けるための指専用モードにするボタンである。「ペン」ボタンは、指ではなくペンでのみ受け付けるためのペン専用モードにするボタンである。「指・ペン」ボタンは、指とペンの双方で受け付けるための指・ペンモードにするボタンである。「指」ボタン、「ペン」ボタン、「指・ペン」ボタンはそのいずれかが選択されたことが分かるように区別して表示される。
【００７４】
ここで、操作メニュー３０の「設定」ボタンを押下すると、図示しない詳細設定メニューが表示され、その中に上記ロックを行う「ロック」ボタンが表示されるものとして説明する。この「ロック」ボタンが押下されると、制御部１０は、ロックを実行する。
【００７５】
ここでは、操作メニュー３０の全てについて、タッチ操作のロックがなされる例を挙げる。無論、上述したように表示領域に対する全てのタッチ操作をロックしてもよいし、例えば、図３の操作メニュー３０のうち「設定」ボタンだけにロックをかけるようにしてもよい。また、電源キー１８の押下操作もロックするようにしてもよい。
【００７６】
なお、操作メニュー３０に対するタッチ操作のロックがなされても、表示領域におけるそれ以外の領域のタッチ操作は有効のままとなる。よって、例えば表示部１３に表示された画像のソースにもよるが、操作メニュー３０に被らないように表示させておけば、画像を拡大する操作や映像を早送りする操作などはロック状態であっても受け付けることができる。
【００７７】
操作メニュー３０に対するタッチ操作のロックがなされた状態で、操作者が図４で例示するようにベゼル部１７上の点から始まる上記フリック操作（ベゼル部１７の長手方向に弾く操作）を指Ｆで行った場合、タッチセンサ１２がそのフリック操作を受け付け、制御部１０に渡す。それを受けた制御部１０は、上記ロックを解除するように、つまり操作メニュー３０に対するタッチ操作をアンロックするように制御する。
【００７８】
なお、ベゼル部１７の幅の長さとタッチセンサ１２の検出感度にもよるが、上記所定のタッチ操作は、ベゼル部１７上の点をタッチし、タッチした位置からベゼル部１７の幅方向に弾くフリック操作を採用することもできる。また、弾く方向は、これらに限らず、任意の方向に弾かれた場合に上記所定のタッチ操作がなされたと判定することもできる。
【００７９】
また、上記ロックは、操作メニュー３０での操作の代わりに、操作メニュー３０を表示した状態で電源キー１８のｔ秒未満の連続押下を受け付けた場合に実行できるように構成しておいてもよい。その他、ｔ秒より小さな閾値ｔ０を用いて、ｔ０秒未満の連続押下で操作メニュー３０の表示状態に拘わらず上記ロックが実行され、ｔ０秒以上ｔ秒未満の場合に操作メニュー３０が表示され、ｔ秒以上で電源がＯＦＦされるように構成することもできる。
【００８０】
また、代替処理として、制御部１０は、アンロック状態で、ベゼル部１７上の点から始まる所定のタッチ操作を受け付けた場合に上記ロックを実行するようにしてもよい。ここで、上記ロックを行うための所定のタッチ操作としては、アンロックのための所定のタッチ操作と同じタッチ操作を採用してもよいし、異なるタッチ操作を採用してもよい。このようなベゼルタッチによるロックの方法については、本実施形態だけでなく、後述する他の実施形態でも同様に適用できる。
【００８１】
以上のように、本実施形態に係る表示装置１では、表示部１３の周囲に設けられたベゼル部１７へのタッチ操作（つまり画面の領域外でのタッチ操作）をタッチセンサ１２で検出し、その検出結果を隠しコマンドとして利用しているため、操作ロックをアンロックさせる制御を一般ユーザ（表示装置１の設置者ではないユーザ）には分からない操作方法で実行させることができる。つまり、この表示装置１では、アンロック操作を行うための操作ボタンをＯＳＤ表示させる必要もなく、隠しコマンドでアンロック操作が可能となっているため、一般ユーザにアンロックされる可能性を大幅に減らすことができ、設置者が所望する画像を表示し続けることができる。
【００８２】
また、本実施形態に係る表示装置１では、アンロック操作のために新たなハードウェアキーを追加する必要もないし、ハードウェアキー１８での押下操作を、上記アンロックの実行に割り当てる必要がないため、一般ユーザにハードウェアキー１８でアンロックされてしまうといった事態も生じない。
【００８３】
よって、例えば、ハードウェアキー１８を１つの電源キー１８のみで構成し、その他の操作をＯＳＤ画像の操作メニューからのタッチ操作により受け付けるように、表示装置１を構成することもできる。その際、上述したように電源キー１８のｔ秒未満の押下により操作メニューを表示させればよい。そして、このような電源キー１８の押下操作をロックすることで、ＯＳＤ画像を表示させないようにできる。これにより、喩え表示部１３に表示されている画像の入力ソースがＰＣ等のようにタッチ情報を受け取れるソース機器であっても、ＯＳＤ画像の表示によりタッチ情報が無効になってしまうといった事態を防ぐことができる。そして、この例のように１つのキーのみで構成している場合には、アンロックといった特殊な機能にそのキーを割り当てることができないが、本実施形態ではベゼルタッチによりアンロックを実行することができるため、１つのキーだけの構成でも問題なく一般ユーザの誤操作を防ぐことができる。
【００８４】
（第２の実施形態）
本発明の第２の実施形態について説明する。本実施形態について、第１の実施形態との相違点を中心に説明するが、第１の実施形態で説明した様々な応用例も同様に適用できる。
【００８５】
本実施形態における上記所定のタッチ操作は、第１の実施形態におけるフリック操作の代わりに、ベゼル部１７上の点をタッチし、タッチした位置からベゼル部１７の長手方向にスライドするスライド操作であると定義付けする。なお、このスライド操作は、タッチして離さないまま移動して止める操作であり、スワイプ操作とも呼ばれる。
【００８６】
また、ベゼル部１７の幅の長さとタッチセンサ１２の検出感度にもよるが、上記所定のタッチ操作は、ベゼル部１７上の点をタッチし、タッチした位置からベゼル部１７の幅方向にスライドするスライド操作を採用することもできる。また、スライドする方向は、これらに限らず、任意の方向にスライドされた場合に上記所定のタッチ操作がなされたと判定することもできる。
【００８７】
また、いずれのスライド操作を採用する場合にも、スライドする長さは特に定義しておく必要はない。定義しておく場合でも、長さの下限のみを定義するか、上限及び下限を定義するようにしておけばよい。つまり、上記所定のタッチ操作は、ベゼル部１７上の点をタッチし、タッチした位置からベゼル部１７の長手方向に、所定長以上、又は所定長以上でその所定長より長い他の所定長以下の長さだけ、スライドするスライド操作であるように定義してもよい。これにより、設置者もある程度の曖昧な操作でアンロックを実行させることができる。
【００８８】
補足的に、本実施形態に係るスライド操作と第１の実施形態に係るフリック操作との判定方法の違いについて説明する。両者の区別は、例えば（１）タッチしている期間、（２）タッチ開始時の静止期間、のいずれかにより判定することができる。
【００８９】
上記（１）では、タッチ後、平行移動させ、タッチが離されるまでの期間が第１の所定時間よりも短い場合はフリック操作がなされたと判定し、第１の所定時間以上であった場合はタッチを離した位置までのスライド操作がなされたと判定する。上記（２）では、タッチ開始時に第２の所定時間以上の静止状態が続いた場合はスライド操作がなされたと判定し、タッチ開始時に静止しなかった場合（第２の所定時間未満の場合）はフリック操作であると判定する。但し、例えばＭｉｃｒｏｓｏｆｔ（登録商標）  Ｗｉｎｄｏｗｓ（登録商標；以下同様。）７以降では、長押しのタッチをマウス等のポインティングデバイスによる右クリック操作に割り当てているため、上記（２）においてスライド操作と判定した場合（及びフリック操作と判定した場合）は、ＯＳＤ表示などでその判定結果を表示するようにすることが好ましい。
【００９０】
本実施形態に係る表示装置１では、第１の実施形態と同様の効果を奏すると共に、上記所定のタッチ操作として上記スライド操作を採用することで、第１の実施形態におけるフリック操作に比べて判定されるまでの時間が長くなるため、より一般ユーザに誤ってアンロックさせてしまう可能性を減らすことができる。
【００９１】
（第３の実施形態）
本発明の第３の実施形態について説明する。本実施形態について、第１，第２の実施形態との相違点を中心に説明するが、第１，第２の実施形態で説明した様々な応用例も同様に適用できる。
【００９２】
本実施形態では、上記所定のタッチ操作として、第１，第２の実施形態とは異なり上記スライド操作や上記フリック操作以外を採用している。本実施形態は、タッチセンサ１２がマルチタッチ対応である場合に限る。
【００９３】
本実施形態では、上記所定のタッチ操作は、ベゼル部１７上の点（近接する２点）をタッチし、タッチした位置からピンチアウトするピンチアウト操作であると定義する。このピンチアウト操作はストレッチ操作とも呼ばれる。近接又は接触させた２つの指でタッチした後、その２つの指を開くような操作をタッチセンサ１２が受け付けた場合、制御部１０は、上記アンロックを実行する。
【００９４】
また、上記ピンチアウト操作の代わりに、上記所定のタッチ操作は、ベゼル部１７上の点（離間した２点）をタッチし、タッチした位置からピンチインするピンチイン操作であると定義することもできる。このピンチイン操作は、単にピンチ操作とも呼ばれる。離間させた２つの指でタッチした後、その２つの指を閉じる（近接又は接触させる）ような操作をタッチセンサ１２が受け付けた場合、制御部１０は、上記アンロックを実行する。
【００９５】
本実施形態に係る表示装置１では、第１の実施形態と同様の効果を奏すると共に、上記所定のタッチ操作として上記ピンチアウト操作や上記ピンチイン操作を採用することで、第１の実施形態におけるフリック操作や第２の実施形態におけるスライド操作に比べて判定の確実性が増すため、より一般ユーザに誤ってアンロックさせてしまう可能性を減らすことができる。
【００９６】
（第４の実施形態）
本発明の第４の実施形態について説明する。本実施形態について、第１〜第３の実施形態との相違点を中心に説明するが、第１〜第３の実施形態で説明した様々な応用例も同様に適用できる。第１〜第３の実施形態では、上記所定のタッチ操作を、４辺あるベゼル部１７のいずれの辺でも受け付けることを前提として説明した。
【００９７】
本実施形態では、第１〜第３の実施形態において上述したベゼル部１７上の点を、ベゼル部１７のうちの予め定められた特定の辺上の点とする。つまり、本実施形態における上記所定のタッチ操作は、ベゼル部１７の４辺のうちベゼル部１７における特定の辺（例えば左側の辺）上の点でのみ受け付けるようにする。無論、上記所定のタッチ操作の種類は、第１〜第３の実施形態で説明したフリック操作、スライド操作、ピンチイン操作、ピンチアウト操作など様々なものが適用できる。
【００９８】
例えば、表示装置１を横長に置いた場合の上端に該当する辺のベゼル部１７だけ受け付けないようにするなど、少なくとも１辺で受け付け可能に構成しておけばよい。また、受け付ける辺を固定しておくのではなく、図示しない画面向き検出部で検出された表示装置１の向きに応じて、限定する辺を変更するようにしてもよい。
【００９９】
また、第２の実施形態において、上記所定のタッチ操作として、スライドする長さの下限のみ又は上限及び下限を定義したスライド操作を採用した場合に適用することもできる。つまり、上記所定のタッチ操作は、ベゼル部１７のうちの予め定められた特定の辺上の点をタッチし、タッチした位置からベゼル部１７の長手方向に、所定長以上、又は所定長以上でその所定長より長い他の所定長以下の長さだけ、スライドするスライド操作であると定義することもできる。
【０１００】
なお、最初にタッチされた点がベゼル部１７の角部に存在する場合、特に上記点に最も近い境界線が４辺のうちの２辺のいずれとも判定できる場合には、予め定めた一方の辺に上記点が存在すると判定するか、若しくはそのタッチ操作を無視するなどすればよい。
【０１０１】
本実施形態に係る表示装置１では、第１の実施形態と同様の効果を奏すると共に、上記所定のタッチ操作を受け付ける辺を限定することで、アンロック方法がより厳密に規定されて判定の確実性が増すため、より一般ユーザに誤ってアンロックさせてしまう可能性を減らすことができる。
【０１０２】
（第５の実施形態）
本発明の第５の実施形態について、図５Ａ〜図５Ｃを併せて参照しながら説明する。図５Ａ〜図５Ｃは、図１の表示装置におけるアンロック方法の他の例を説明するための概略図で、図５Ａ，図５Ｂ，図５Ｃはそれぞれ、そのアンロック方法の第１，第２，第３の手順を説明するための概略図である。本実施形態について、第１〜第４の実施形態との相違点を中心に説明するが、第１〜第４の実施形態で説明した様々な応用例も同様に適用できる。
【０１０３】
本実施形態では、上記所定のタッチ操作は、ベゼル部１７のうち予め定められた特定の辺上の点をタッチし、タッチした位置からベゼル部１７の長手方向に弾くフリック操作、又はタッチした位置からベゼル部１７の長手方向にスライドするスライド操作を、上記特定の辺を少なくとも１回異ならせて２以上の所定回数行う操作であると定義する。
【０１０４】
例えば、図５Ａで示すように左端のベゼル部１７（ベゼル部１７の左側の辺）上の点を指Ｆでタッチし、タッチした位置から下方向にスライドさせ、次に図５Ｂで示すようにベゼル部１７の下側の辺上の点を指Ｆでタッチし、タッチした位置から左方向にスライドさせ、最後に図５Ｃで示すようにベゼル部１７の右側の辺上の点を指Ｆでタッチし、タッチした位置から上方向にスライドさせる、といった一連のタッチ操作を上記所定のタッチ操作として定義する。このような一連のタッチ操作が完了した段階で、制御部１０は上記アンロックを実行する。
【０１０５】
なお、フリック操作を適用する場合にも同様に例示でき、またスライド操作とフリック操作とを双方組み合わせてもよい。また、スライドやフリックさせる方向は、ベゼル部１７の長手方向であればよいが、図５Ａ〜図５Ｃで例示したようにその向きまで定義しておくことが好ましい。
【０１０６】
本実施形態に係る表示装置１では、第４の実施形態の効果に加えて、より複雑なアンロック方法を採用することで、アンロック方法がより厳密に規定されて判定の確実性が増すため、より一般ユーザに誤ってアンロックさせてしまう可能性を減らすことができる。
【０１０７】
（第６の実施形態）
本発明の第６の実施形態について、第５の実施形態との相違点を中心に説明するが、第１〜第５の実施形態で説明した様々な応用例も同様に適用できる。
【０１０８】
本実施形態では、第５の実施形態においてタッチする辺を１つの辺に限定したものである。すなわち、本実施形態における上記所定のタッチ操作は、ベゼル部１７のうち予め定められた特定の辺上の点をタッチし、タッチした位置からベゼル部１７の長手方向に弾くフリック操作、又はタッチした位置からベゼル部１７の長手方向にスライドするスライド操作を、２以上の所定回数行う操作であると定義する。そして、このような一連のタッチ操作が完了した段階で、制御部１０は上記アンロックを実行する。
【０１０９】
本実施形態に係る表示装置１では、第４の実施形態の効果に加えて、より複雑なアンロック方法を採用することで、アンロック方法がより厳密に規定されて判定の確実性が増すため、より一般ユーザに誤ってアンロックさせてしまう可能性を減らすことができる。また、本実施形態では、第６の実施形態ほどアンロック方法が複雑でないため、設置者が覚え易くなる。
【０１１０】
（第７の実施形態）
本発明の第７の実施形態について、図６Ａ〜図６Ｃを併せて参照しながら説明する。図６Ａ〜図６Ｃは、図１の表示装置におけるアンロック方法の他の例を説明するための概略図で、図６Ａ，図６Ｂ，図６Ｃはそれぞれ、そのアンロック方法の第１，第２，第３の手順を説明するための概略図である。本実施形態について、第５，第６の実施形態との相違点を中心に説明するが、第１〜第６の実施形態で説明した様々な応用例も同様に適用できる。
【０１１１】
本実施形態に係る表示装置１では、図６Ａに示すようにベゼル部１７に発光ダイオード（ＬＥＤ）１９を有する。そして、制御部１０は、ＬＥＤ１９を用いて、第５，第６の実施形態における上記フリック操作又は上記スライド操作を受け付けた回数を所定時間（Ｔ秒とする）以内の点滅回数で表現する。なお、上記フリック操作又は上記スライド操作がなされてから所定間隔が空くとカウントをリセットすることが好ましい。
【０１１２】
上記所定のタッチ操作として図５Ａ〜図５Ｃと同じ操作を採用した場合を例に挙げ、それらに対応する図６Ａ〜図６Ｃを参照しながら説明する。例えば、最初のベゼルタッチから図６Ａで示すようなスライド操作がなされたときには、制御部１０がＬＥＤ１９をＴ秒以内に１回の割合で点滅させる。次に図６Ｂで示すようなスライド操作がなされたときには、制御部１０がＬＥＤをＴ秒以内に２回の割合で点滅させる。最後に図６Ｃで示すようなスライド操作がなされたときには、制御部１０がＬＥＤ１９をＴ秒以内に３回の割合で点滅させる。
【０１１３】
ここで、途中で設置者が操作手順を間違えた場合には、ＬＥＤ１９を消灯させるか、別の色で表示させればよい。また、その際に併せて警告音や警告文を読み上げた音声を出力するようにしてもよい。
【０１１４】
本実施形態に係る表示装置１では、第５，第６の実施形態と同様の効果を奏すると共に、設置者がアンロック操作を完了するための操作のうち何回目のタッチまで成功したかを提示するため、設置者がアンロック操作を間違え難くなる。
【０１１５】
（第８の実施形態）
本発明の第８の実施形態について、図７を併せて参照しながら説明する。図７は、本発明の第８の実施形態に係る表示装置の回路構成例を示す図である。図７で例示する表示装置７は、図１の表示装置１の回路構成例であると言え、第１〜第７のいずれの実施形態にも適用できる。
【０１１６】
表示装置７は、ＵＳＢコネクタ７１、ＵＳＢ Ｉ／Ｆ（インターフェイス）コントローラ７２、デジタル信号処理回路７３、アナログ信号処理回路７４、タッチセンサ７５、ＤＰ／ＨＤＭＩコネクタ７６、画像処理回路７７、パネルコントローラ７８、及び表示パネル７９を備えている。
【０１１７】
また、図示しないが、表示装置７は表示装置１と同様にハードウェアキー１８を備えている。ハードウェアキー１８で押下操作を検出した場合、その検出情報を例えば図示しないメインコントローラに渡すなどすればよい。
【０１１８】
ここで、パネルコントローラ７８及び表示パネル７９は、表示装置１の表示部１３に対応している。また、アナログ信号処理回路７４及びタッチセンサ７５は、タッチセンサ１２に対応している。ＵＳＢ Ｉ／Ｆコントローラ７２、デジタル信号処理回路７３、及び画像処理回路７７は、制御部１０に対応している。ＵＳＢコネクタ７１及びＤＰ／ＨＤＭＩコネクタ７６は、通信部１１に対応している。なお、図７においては、実線の矢印でタッチに関する信号、破線の矢印で映像に関する信号を示している。
【０１１９】
ＤＰ／ＨＤＭＩコネクタ７６は、ＤＰケーブル又はＨＤＭＩケーブルと接続するためのＩ／Ｆである。ＤＰ／ＨＤＭＩコネクタ７６はＤＰケーブル又はＨＤＭＩケーブルを介してＰＣ８に接続されている。ＤＰケーブル又はＨＤＭＩケーブルを介して、ＰＣ８から映像信号が表示装置７に送信され、画像処理回路７７に出力される。
【０１２０】
画像処理回路７７は、このようにして外部から入力された映像信号を、表示パネル７９に出力する信号に変換し、パネルコントローラ７８に出力する回路であり、スケーラや黒帯付加／除去回路等も有している。画像処理回路７７は、入力ソースの切り替え、音量調整などの表示装置７における各種設定の変更を受け付けるためのＯＳＤ画像を映像に重畳する処理も行う。パネルコントローラ７８は、表示パネル７９を駆動する駆動回路であり、表示パネル７９はこの駆動により、画像処理回路７７から出力された映像信号が示す映像を表示させる。
【０１２１】
ＵＳＢコネクタ７１は、ＵＳＢケーブルと接続するためのＩ／Ｆである。ＵＳＢコネクタ７１はＵＳＢケーブルを介してＰＣ８に接続されている。ＵＳＢケーブルを介して、表示装置７から操作信号がＰＣ８に送信される。ＵＳＢ Ｉ／Ｆコントローラ７２は、ＵＳＢコネクタ７１にＵＳＢケーブルを介して接続されたＰＣ８との間で、ＵＳＢ規格のプロトコルに従って信号のやり取りを行う制御回路である。
【０１２２】
タッチセンサ７５は、図２を参照して説明したように、表示パネル７９の表示領域に対応する範囲でマトリクス状に設けられた静電容量方式のセンサであり、表示パネル７９の上に重ねて設けられている。アナログ信号処理回路７４は、タッチセンサ７５の駆動を行うと共に、タッチセンサ７５からのアナログの検出信号を入力する回路である。この検出信号は、例えば、タッチ操作がなされた位置を特定する情報（入力座標情報）とその位置での静電容量の変化量の値とを示す信号である。アナログ信号処理回路７４は、入力した検出信号をそのまま、或いはノイズ処理等を施してから、デジタル信号処理回路７３に出力する。
【０１２３】
デジタル信号処理回路７３は、アナログ信号処理回路７４からアナログの検出信号を入力し、所定の演算を行い、デジタル情報としてのタッチ情報に変換し、ＵＳＢ Ｉ／Ｆコントローラ７２に出力する回路である。この所定の演算は、図２を参照しながら説明したような条件Ｉ，ＩＩの判定を含む。よって、デジタル信号処理回路７３により、タッチ操作が表示パネル７９の表示領域上でなされたのか、ベゼル部上でなされたのかについてや、どのようなタッチ操作がなされたのか（アンロック操作として定義された上記所定のタッチ操作がなされたのか否か）についても区別できる。
【０１２４】
ＵＳＢ Ｉ／Ｆコントローラ７２は、入力されたタッチ情報が表示領域上でなされたものであるのか、ベゼル部上でなされたものであるのかによって、タッチ情報の出力先を振り分ける。
【０１２５】
ＵＳＢ Ｉ／Ｆコントローラ７２は、表示領域上でなされたものである場合には、ＵＳＢコネクタ７１を介してそのタッチ情報をＰＣ８に出力する。ＰＣ８は、そのタッチ情報を反映させた映像信号をそれぞれＤＰ／ＨＤＭＩコネクタ７６を介して送信し、最終的に表示パネル７９での表示映像に反映されることになる。
【０１２６】
一方、ＵＳＢ Ｉ／Ｆコントローラ７２は、入力されたタッチ情報がベゼル部上でなされたものであり、且つ上記所定のタッチ操作がなされたことが判定されている場合には、アンロック操作がなされたことを示す情報（アンロック操作情報）を画像処理回路７７に出力する。画像処理回路７７は、そのアンロック操作情報を受けて、上記メインコントローラに対し、若しくはＵＳＢ Ｉ／Ｆコントローラ７２及びハードウェアキー１８に対し、アンロックを実行するように指示する。なお、上記条件Ｉ，ＩＩの判定の一部又は全部をＵＳＢ Ｉ／Ｆコントローラ７２側で実行するような構成を採用することもできる。
【０１２７】
また、上記条件ＩＩの判定は、画像処理回路７７が実行してもよい。その場合、画像処理回路７７は、入力されたタッチ情報がベゼル部上でなされたものである場合にデジタル信号処理回路７３からそのタッチ情報（ベゼルタッチ情報）を受信し、上記所定のタッチ操作に該当するか否かを判定し、該当する場合には、上記メインコントローラに対し、若しくはＵＳＢ Ｉ／Ｆコントローラ７２及びハードウェアキー１８に対し、アンロックを実行するように指示すればよい
【０１２８】
本実施形態に係る表示装置７は、上述のような構成であるため、ベゼルタッチを検出するに際しては、例えば、従来のタッチセンサ７５をそのまま用いて（従来のタッチセンサ７５のハードウェア構成を変更することなく）、デジタル信号処理回路７３、ＵＳＢ Ｉ／Ｆコントローラ７２、画像処理回路７７のいずれか１又は複数に組み込まれたソフトウェア（ファームウェア）の変更のみで対応できる。
【０１２９】
（その他）
以上、本発明に係る表示装置について説明したが、処理の流れを説明したように、本発明は、画像を表示する表示部と、ユーザによる上記表示部の表示領域上でのタッチ操作を検出する静電容量方式のタッチセンサと、ユーザによる押下操作を受け付けるハードウェアキーと、上記押下操作及び上記表示領域上でのタッチ操作のうち、一部又は全てをロック／アンロックする制御を行う制御部と、上記表示部の周囲に設けられたベゼル部と、を備えた表示装置におけるアンロック方法や、そのアンロック方法をコンピュータ（表示装置の制御部）に実行させるためのプログラムとしての形態も採り得る。
【０１３０】
このアンロック方法は、上記ロックがなされた状態で、上記タッチセンサが上記ベゼル部上の点から始まる所定のタッチ操作を受け付けた場合、上記制御部が上記アンロックを実行する。その他の応用例については、表示装置について説明した通りであり、その説明を省略する。
【０１３１】
上記プログラムは、換言すると、このアンロック方法を、上記表示部、上記タッチセンサ、上記ハードウェアキー、及び上記ベゼル部を備えたコンピュータに実行させるためのプログラムである。すなわち、このプログラムは、上記コンピュータに、ハードウェアキーへの押下操作及び上記表示部の表示領域上でのタッチ操作のうち、一部又は全てがロックされた状態で、上記タッチセンサが上記ベゼル部上の点から始まる所定のタッチ操作を受け付けた場合、上記ロックに対するアンロックを実行するステップを実行させるためのプログラムである。その他の応用例については、表示装置について説明した通りであり、その説明を省略する。
【０１３２】
また、上記プログラムをコンピュータにより読み取り可能な記録媒体に記録したプログラム記録媒体としての形態についても容易に理解することができる。このコンピュータとしては、上述したように、汎用のＰＣに限らず、マイクロコンピュータやプログラム可能な汎用の集積回路／チップセットなど、様々な形態のコンピュータが適用できる。また、このプログラムは、可搬の記録媒体を介して流通させるに限らず、インターネット等のネットワークを介して、また放送波を介して流通させることもできる。ネットワークを介して受信するとは、外部サーバの記憶装置などに記録されたプログラムを受信することを指す。
【符号の説明】
【０１３３】
１，７…表示装置、８…ＰＣ、１０…制御部、１１…通信部、１２，７５…タッチセンサ、１２ａ…タッチパネルユニット、１２ｂ…外枠部分、１２ｄ…タッチパネル、１３…表示部、１３ａ…液晶ユニット、１３ｂ…液晶パネル、１３ｃ…光学シート、１３ｄ…導光板、１３ｅ…反射シート、１３ｆ…ＬＥＤ基板、１４ａ…前面化粧パネル、１４ｂ…ベゼル領域部分、１４ｄ…表示領域部分、１５ａ…背面シャーシ、１５ｂ…パネル固定部材、１５ｃ…ＬＥＤ基板固定部材、１５ｄ，１５ｅ…スペーサ、１６ａ…背面キャビネット、１６ｂ…側面キャビネット、１７…ベゼル部、１８…ハードウェアキー（電源キー）、１９…ＬＥＤ、３０…操作メニュー、７１…ＵＳＢコネクタ、７２…ＵＳＢ Ｉ／Ｆコントローラ、７３…デジタル信号処理回路、７４…アナログ信号処理回路、７６…ＤＰ／ＨＤＭＩコネクタ、７７…画像処理回路、７８…パネルコントローラ、７９…表示パネル。
【図１】
2015114801.tif 000003
【図２】
2015114801.tif 000004
【図３】
2015114801.tif 000005
【図４】
2015114801.tif 000006
【図５Ａ】
2015114801.tif 000007
【図５Ｂ】
2015114801.tif 000008
【図５Ｃ】
2015114801.tif 000009
【図６Ａ】
2015114801.tif 000010
【図６Ｂ】
2015114801.tif 000011
【図６Ｃ】
2015114801.tif 000012
【図７】
2015114801.tif 000013